(57)【特許請求の範囲】
【請求項１】
ゴルフクラブヘッドであって、
クラブヘッドボディと、
前記クラブヘッドボディに対して着脱可能に取り付けられた少なくとも１つのエレメントと、
前記少なくとも１つのエレメント上の、前記エレメントの質量を特定しているコード化された情報であって、前記ゴルフクラブヘッドの性能特性に関連づけられた、前記情報と、
前記コード化された情報を解読するための、前記クラブヘッドボディ上の解読手段と、
を具備していることを特徴とするゴルフクラブヘッド。
【請求項２】
請求項１記載のゴルフクラブヘッドにおいて、
前記解読手段が、前記ボディに対して着脱可能に取り付けられることを特徴とするゴルフクラブヘッド。
【請求項３】
請求項２記載のゴルフクラブヘッドにおいて、
前記解読手段が、プレートを備え、
このプレートが、このプレートの露出表面上に配置された解読標示と、前記コード化された情報を見るための手段と、を備えていることを特徴とするゴルフクラブヘッド。
【請求項４】
請求項１記載のゴルフクラブヘッドにおいて、
前記ボディが、ソールと、このソールとは反対側に位置した上面と、を備え、
前記少なくとも１つのエレメントが、前記ソールと前記上面との間に位置していることを特徴とするゴルフクラブヘッド。
【請求項５】
請求項１記載のゴルフクラブヘッドにおいて、
さらに、前記ゴルフクラブヘッドの前記ボディに形成された少なくとも１つの凹所を具備していることを特徴とするゴルフクラブヘッド。
【請求項６】
請求項５記載のゴルフクラブヘッドにおいて、
前記ボディが、互いに反対側に位置したトウ領域およびヒール領域を備え、
前記トウ領域に、少なくとも１つの凹所が形成され、
前記ヒール領域に、少なくとも１つの凹所が形成されていることを特徴とするゴルフクラブヘッド。
【請求項７】
請求項５記載のゴルフクラブヘッドにおいて、
前記少なくとも１つの凹所の中に少なくとも１つの開口が配置され、
前記エレメントが、前記開口内へと少なくとも部分的に嵌合されることを特徴とするゴルフクラブヘッド。
【請求項８】
請求項７記載のゴルフクラブヘッドにおいて、
前記解読手段が、前記開口内に前記少なくとも１つのエレメントを保持することを特徴とするゴルフクラブヘッド。
【請求項９】
請求項５記載のゴルフクラブヘッドにおいて、
前記解読手段が、前記凹所内に着座することを特徴とするゴルフクラブヘッド。
【請求項１０】
請求項１記載のゴルフクラブヘッドにおいて、
前記エレメントとして、複数のエレメントが設けられ、
これら複数のエレメントが、１グラムから５０グラムまでにわたるような互いに同じまたは互いに異なる質量を有しているとともに、タングステンから形成されていることを特徴とするゴルフクラブヘッド。
【請求項１１】
請求項１記載のゴルフクラブヘッドにおいて、
前記少なくとも１つのエレメントとして、前記ゴルフクラブヘッドの最終的な重量を決定し得るように選択されたエレメントが、前記ゴルフクラブヘッド内へと挿入されることを特徴とするゴルフクラブヘッド。
【請求項１２】
ゴルフクラブヘッドであって、
打撃面を有したクラブヘッドボディと、
前記クラブヘッドボディに形成された少なくとも１つの凹所と、
前記凹所内に配置された質量体であるとともに、前記質量体の質量を特定しているコード化された情報を表面上に含む質量体であって、前記情報が前記ゴルフクラブヘッドの性能特性に関連づけられた情報であり、異なる質量を有した他の質量体と交換可能とされた前記質量体と、
前記コード化された情報を解読するための解読手段を備えた、前記凹所のためのカバーと、
を具備していることを特徴とするゴルフクラブヘッド。
【請求項１３】
請求項１２記載のゴルフクラブヘッドにおいて、
前記カバーが、さらに、前記質量体の一部を観測するためのウィンドウを備えていることを特徴とするゴルフクラブヘッド。
【請求項１４】
請求項１記載のゴルフクラブヘッドにおいて、
前記コード化された情報が、変更可能な色標示とされ、
各々の性能特性が、色または色の組合せと関連づけられていることを特徴とするゴルフクラブヘッド。
【請求項１５】
請求項１記載のゴルフクラブヘッドにおいて、
前記コード化された情報が、前記ゴルフクラブヘッドの外面上において知覚可能なものとされていることを特徴とするゴルフクラブヘッド。
【請求項１６】
ゴルフクラブヘッドのためのツールキットであって、
変更可能な構成とされたゴルフクラブヘッドと、
コード化された情報が表示された複数のエレメントであって、前記情報が前記ゴルフクラブヘッドの性能特性に関連づけられた情報である、前記エレメントと、
前記コード化された情報を解読するための、前記ゴルフクラブヘッド上の少なくとも１つの情報デコーダと、
前記ゴルフクラブヘッド内へと前記エレメントを組み込むためのツールと、
を具備し、
前記コード化された情報が、各エレメントの質量に対応していることを特徴とするキット。
【請求項１７】
請求項１６記載のキットにおいて、
さらに、前記エレメントを選択するためのおよび前記ゴルフクラブヘッドに対して前記エレメントを配置するための注意書きを具備していることを特徴とするキット。
【発明の詳細な説明】
【技術分野】
【０００１】
本発明は、ＧＭ２型交換パターに関するものである。
【背景技術】
【０００２】
長年にわたって、ゴルフクラブメーカーは、ゴルフクラブ仕様に関する限られた情報を、ゴルフクラブヘッド上に配置していた。例えば、大部分のゴルフクラブには、一般に、クラブフェイスのロフトが、あるいは、ヘッドのサイズが、表示されている。技術の進歩によって、ゴルフクラブの購入時あるいは使用時には、追加的な性能特性が、ゴルファーにとって、重要なものとなった。しかしながら、クラブヘッド上のスペースが限られていることのために、そのような追加的な性能特性に対応した表示を、ゴルファーの参照用に、簡便に表示することはできない。
【０００３】
この欠点を克服し得るよう、メーカーは、特定の性能特性を表しているような例えば複数の小さな色付きドットといったようなコード化された情報を、使用し始めた。そのようなコード化された情報は、クラブヘッドと一緒に提供されるマニュアルすなわち使用説明書の中において、説明される。この手法により、メーカーは、ユーザーに対してゴルフクラブに関する詳細な情報を提供することができるけれども、いくつかの問題点が生じる。
【０００４】
例えば、調節可能な特性を有したゴルフクラブには、一般に、例えばクラブの所定構成に関連した特定の性能特性を表す複数の色付きドットといったようなものによってシンボル化された特定のコード化された情報が表示されている。この情報を解読するためには、ユーザーは、クラブと一緒に提供されたマニュアルすなわち使用説明書を参照しなければならない。マニュアルすなわち使用説明書を紛失した場合や損傷した場合やあるいはゴルフコース上において利用できない場合には、ゴルファーは、クラブに対する信頼を失うこととなり、最終的には、ゴルファーのゲームの成績に影響を及ぼすこととなる。なお、本出願人の知る限りにおいては、本出願に関連性を有する先行技術文献は存在しない。
【発明の開示】
【課題を解決するための手段】
【０００５】
コード化された情報を具備しているとともに、ゴルフクラブ上にそのコード化された情報のための情報デコーダを具備しているような、ゴルフクラブが要望されている。本発明は、その様々な実施形態において、この要望さらには他の要望を満たす。
【０００６】
本発明の例示としての一実施形態においては、ゴルフクラブヘッドは、暗号、すなわち、コード化された情報、を具備している。暗号は、ゴルフクラブヘッドの性能特性に関連づけられている。ゴルフクラブヘッドには、暗号に加えて、この暗号を解読するための解読手段が設けられている。例えば、デコーダが設けられている。暗号を、コード化された性能特性を解読するための手段と組み合わせることにより、ゴルファーは、プレー状況に基づいてあるいはスィング状態に基づいて、ゴルフクラブヘッドを調節することができる。
【０００７】
本発明の他の見地においては、変更可能な構成とされたゴルフクラブヘッドのためのキットが、開示される。このキットは、コード化された情報が表示された複数のエレメントと少なくとも１つの情報デコーダとを備えたゴルフクラブヘッドを具備している。ツールにより、ゴルファーは、変更可能な構成とされた部分を調節することができる。
【発明を実施するための最良の形態】
【０００８】
上記のおよび他の特徴点や見地や利点や様々な実施形態は、発明の詳細な説明と、添付図面と、特許請求の範囲と、によって明瞭となるであろう。
【０００９】
本発明は、以下の詳細な説明によって、および、本発明を何ら限定するものではなく単なる例示として与えられた添付図面によって、より完全に理解されるであろう。
【００１０】
説明の明瞭化のために、複数の図面は、必ずしも同じスケールで図示されているわけではない。複数の図面にわたって、同様の部材には同じ符号が付されている。
【００１１】
添付図面を参照して、本発明の様々な実施形態に関する理解を深める目的で、特定の詳細に関して説明する。しかしながら、本発明は、それら詳細を要することなく実施することができる。他の例においては、本発明の説明を無用に混乱させることを避ける目的で、周知の部材が図示されておらず説明もしていない。したがって、以下の説明および図面は、本発明を制限するものではなく、単なる例示として理解されたい。
【００１２】
まず最初に、本発明による様々な見地が、ドライバータイプのゴルフクラブに関しても、また、アイアンタイプのゴルフクラブに関しても、また、パタータイプのゴルフクラブに関しても、適用可能であることは、理解されるであろう。例示の目的のために、以下の説明においては、ある種のパタータイプのゴルフクラブに関連したものとして、クラブヘッド１０の様々な特徴点について説明する。より詳細には、図１〜図４を参照して、マレットタイプのパターヘッドについて説明するとともに、図５〜図７を参照して、ブレードタイプのパターヘッドについて説明する。
【００１３】
図２および図３に示すように、本発明の一実施形態は、ゴルフクラブヘッド１０を備えることができる。ゴルフクラブヘッド１０は、コード化された情報すなわち暗号１２を有している。暗号１２は、クラブヘッド１０の性能特性に関連したものである。クラブヘッド１０の外側から知覚し得る暗号１２は、任意のタイプの標示媒体とすることができ、例えば、色や、マークや、英数標示、とすることができる。例えば、暗号１２は、色標示とすることができる。その場合、クラブヘッド１０に関しての、各性能特性、あるいは、一組をなす複数の性能特性は、特定の色または色の組合せと関連したものとされる。暗号１２に関連した特定の性能特性を知るためには、例えばデコーダ１４といったような、暗号１２を解読するための手段を、クラブヘッド上に設けることができる。本発明の一実施形態においては、デコーダ１４は、より詳細には、カバーの露出面３８上のあるいはプレート３４上の解読標示として特徴づけることができる。解読標示により、ゴルファーは、複数の利用可能なクラブヘッド構成オプションの中からの選択を行うことができる。
【００１４】
図２から明らかであるように、ゴルフクラブヘッド１０は、さらに、ボディ１６によって特徴づけることができる。ボディ１６は、打撃面４６を有している。図４に示すように、暗号１２が付設された少なくとも１つのエレメント１８を、クラブヘッドのボディ１６に対して組み込むことができる。カバー３４は、ボディ１６の内部にエレメント１８を保持し得るとともに、エレメント１８上の暗号１２を観測するための手段を、例えば開口２０を、備えることができる。
【００１５】
図４に示すように、クラブヘッド１０のボディ１６は、さらに、トウ領域２８と、これとは反対側に位置したヒール領域３０と、によって特徴づけることができる。トウ領域２８とヒール領域３０との双方には、少なくとも１つの凹所２２が形成されている。少なくとも１つの開口３２を、エレメント１８を収容し得るよう、凹所２２内に配置することができる。エレメント１８は、開口３２内へと、少なくとも部分的に嵌合することができる。ボディ１６は、さらに、ソール２４と、ソール２４とは反対側に位置した上面２６（図１）と、を備えることができる。これにより、エレメント１８は、開口３２に配置されたときには、ボディ１６のソール２４と上面２６との間に位置することができる。
【００１６】
クラブヘッド１０のソール２４の凹所２２は、側壁４０と床面４２とによって規定することができる。これにより、凹所２２に対して、特徴的な形状を付与することができる。その形状は、クラブヘッドボディ１６のデザインの詳細に応じて、様々なものとすることができる。加えて、クラブヘッド１０のソール２４は、中間部分４４を備えることができる。中間部分４４は、クラブヘッド１０のうちの、打撃面４６と、これとは反対側に位置した背面４８と、の間にわたって延在する長手方向軸線に対して、実質的に対応するものである。中間部分４４は、トウ領域２８とヒール領域３０とを物理的に隔離することができ、よって、各領域内の凹所２２どうしを物理的に隔離することができる。本発明の例示としての一実施形態においては、中間部分４４は、溝付き表面を備えたものとして図示されているけれども、中間部分は、これに代えて、円滑な表面を備えることができるすなわち溝無しの表面を備えることができる。
【００１７】
様々なデザイン構成においては、凹所２２は、中間部分４４の両サイドにおけるソール２４の実質的な領域を包含することができる、あるいはこれに代えて、最小化されることができる。例えば、凹所２２は、クラブヘッド１０の周縁形状に対応した形状を有することも、あるいは、有さないことも、できる。
【００１８】
各凹所２２の床面４２内に形成された少なくとも１つの開口３２は、よって、凹所２２内の選択された箇所において、より深い深さを有することができる。複数の開口３２を、配置することができる。この場合、それら開口は、パターヘッド１０の長手方向軸線に対して位置合わせすることができる、あるいは、互いにオフセットすることができる。加えて、複数の開口３２は、クラブヘッド１０の特定の構成に応じて、互いに近接して配置することも、あるいは、凹所２２内において一様な間隔で配置することも、あるいは、ランダムに配置することも、できる。開口３２の側壁表面３３は、実質的に円滑なものとも、あるいは、粗なものとも、することができる。開口３２は、クラブヘッド１０の内部において終端することも、あるいは、クラブヘッドを貫通したものとも、することができる。
【００１９】
エレメント１８は、開口３２内において、クリアランスを有した状態で組み込むことも、あるいは、締まり嵌めすることも、できる。エレメント１８は、異なる質量を有した他のエレメントへと、容易に交換することができる。加えて、図４に示すように、エレメント１８は、周縁フランジ５４と、シャンク部材５６と、を備えることができる。エレメント１８は、全体的に円柱形状のものとして図示されているけれども、エレメント１８が実質的に任意の形状を有し得ることは、理解されるであろう。
【００２０】
フランジ５４は、凹所２２の床面４２上に載置されることができる。これにより、エレメント１８のシャンク部材５６を、開口３２内へと容易に挿入し得るとともに、開口３２から容易に取り出すことができる。さらに、フランジ５４は、開口３２からエレメント１８を取り出すに際して容易に把持し得るようなサイズおよび厚さのものとすることができる。暗号１２は、例えば、エレメント１８のフランジ５４の端部のところに形成することができる。暗号１２は、クラブヘッドの特定の特質や構成やあるいは特徴点に対応させて、例えば、色や、マークや、あるいは、英数標示、等から構成することができる。
【００２１】
本発明の一実施形態においては、互いに同じ質量を有したあるいは互いに異なる質量を有した複数の交換可能なエレメント１８を、一組をなすものとして準備しておくことができる。暗号１２は、エレメント１８の質量を区別したものとすることができる。その場合には、互いに異なる質量に対して、互いに異なる暗号１２が使用されることとなる。よって、クラブヘッド１０に対して少なくとも１つのエレメント１８を選択的に組み込むことにより、クラブヘッド１０に対して、対応する質量を付加することができる。これにより、クラブヘッド１０に関する最終的な所望の重量を決定することができる。
【００２２】
例えば、エレメント１８の質量は、およそ１グラムからおよそ５０グラムまでにわたって、変更することができる。一組をなす複数のエレメント１８は、５グラムと１０グラムと１５グラムとという質量の少なくとも３つのエレメントを備えることができる。当業者であれば、一組をなす複数のエレメント１８が、任意の数のエレメントを備え得ること、および、一組の中の任意の与えられたエレメント１８の質量を独自のものとし得ることあるいは独自のものとしなくても良いことは、理解されるであろう。使用時には、一組の中から選択された１つまたは複数のエレメント１８を、１つまたは複数の所定の開口３２の中へと挿入することができる。これにより、所望の最終的な重量と質量分布とを有したクラブヘッドを提供することができる。適切な開口３２内への挿入後には、カバー３４を使用して、開口３２内へとエレメント１８を固定することができる。これと同時に、例えばウィンドウまたは開口２０を通してといったような、エレメント１８上の暗号１２を観測するための手段を提供することができる。
【００２３】
カバー３４は、プレートまたは他の類似の構造を備えることができる。プレートは、外側壁５８と、露出外表面３８と、この露出外表面３８とは反対側に位置した内表面６２と、を有している。外側壁５８の高さは、美観的に要求された場合にはおよび／または機能的に要求された場合には、凹所２２の内側壁４０の高さと実質的に同様の高さとすることができる。凹所２２は、好ましくは、カバーの着脱を容易なものとし得るよう、クリアランスを有した装着状況でもって、カバー３４を受領する。
【００２４】
凹所２２の床面４２内には、開口３２の形状または機能に対して影響を与えないようにして、少なくとも１つの固定孔５２を形成することができる。例えば、第１の固定孔５２を、パターヘッド１０の打撃面４６に近い位置において凹所２２内に配置し得るとともに、第２の固定孔５２を、クラブヘッド１０の背面４８に近い位置において凹所２２内に配置することができる。典型的には、固定孔５２は、凹所２２の側壁４０の近傍に配置することができる。固定孔５２を、ネジ山付きのものとし得ること、あるいは、固定部材を受領し得るに適切な他の構造とし得ることは、理解されるであろう。
【００２５】
カバー３４は、凹所２２の固定孔５２に対して位置合わせされた貫通孔６４と、エレメント１８を見るための開口またはウィンドウ２０と、を備えることができる。ウィンドウ２０は、凹所２２内に形成された開口３２に対してウィンドウ２０を実質的に位置合わせし得るようにしつつ、カバー３４内に形成することができる。したがって、カバー３４は、エレメント１８上の暗号またはコード化された情報１２をカバー３４のウィンドウ２０を通して見ることができるようにして、開口３２内に挿入されたエレメント１８を覆うことができる。ウィンドウ２０は、エレメント１８上のコード化された暗号１２を見ることができるような、任意の適切な形状のものとすることができる。例えば、ウィンドウ２０は、長尺スロットや、円や、楕円や、矩形や、他の任意の適切な幾何形状、といったような形状のものとすることができる。
【００２６】
カバー３４をクラブヘッド１０に対して固定し得るよう、固定部材６６を使用することができる。固定部材６６は、カバー３４の貫通孔６４を通して、凹所２２の固定孔５２に対して係合する。固定部材６６は、嵌合し得るような構成のものとすることができる、あるいは、螺着し得るような構成のものとすることができる、あるいは、カバー３４をクラブヘッド１０に固定し得るような構成のものとすることができる。
【００２７】
クラブヘッド１０の所望の最終的な重量は、少なくとも１つの選択されたエレメント１８を凹所２２の適切な開口３２内に挿入することによって、得ることができる。カバー３４は、ヘッド１０に対してのエレメント１８の組込を補助し得るとともに、開口２０を通して暗号またはコード化された情報１２を観測するための手段を構成することができる。
【００２８】
ヘッド１０に組み込まれている選択されたエレメント１８の重量を視覚的に決定し得るよう、カバー３４の外表面３８上に設けられたデコーダ１４を参照することができる。より詳細には、デコーダ１４は、ウィンドウ２０の近傍に、あるいは、カバー３４の開口の近傍に、配置することができる。これにより、エレメント１８上のコード化された暗号１２は、デコーダ１４を利用して、即座に解読することができる。
【００２９】
例えば、エレメント１８上のコード化された暗号１２は、５グラムという質量を有したエレメントに関しては赤色とすることができ、１０グラムという質量を有したエレメントに関しては白色とすることができ、１５グラムという質量を有したエレメントに関しては青色とすることができる。エレメント１８をクラブヘッド内に配置した後には、クラブヘッドの重量および質量分布を、質量と色との関係を特定したデコーダ１４を参照することによって、容易に決定することができる。参照を容易なものとし得るよう、デコーダ１４は、ウィンドウ２０のごく近傍に配置することができる。
【００３０】
暗号と暗号解読手段とを、クラブヘッド１０のソール２４に関連するものとして説明したけれども、これらを、同様にして、クラブヘッド１０の他の部分に対して適用し得ることは、理解されるであろう。例えば、それらは、クラブヘッド１０の上面２６上に適用することができる、あるいは、他の任意の適切な場所に適用することができる。
【００３１】
さて、図５および図６を参照して、ブレードタイプのパターヘッド２００として適用されたような、本発明によるゴルフクラブヘッドの他の実施態様について、例示して説明する。この実施形態に関する多くの見地は、上記実施形態と同様である。以下の説明により、本発明の原理を、例えばブレードタイプのパター２００といったような様々な形状のパターに対して適用し得ることを、より深く理解されるであろう。
【００３２】
典型的には、ブレードタイプのパターヘッド２００は、実質的に矩形形状のボディ２０２を備えることができる。この特徴的なヘッド形状は、マレットタイプのパターヘッド１０のボディと比較して、より嵩低いものとすることができる。以下の説明においては、ブレードタイプのパター２００における様々な構成部材に関し、マレットタイプのパター１０の場合と同様の構成部材については、同じ符号を付している。
【００３３】
本発明の一実施形態においては、ブレードタイプのパターヘッド２００は、打撃面４６と、この打撃面４６の反対側に位置した背面４８と、を備えることができる。また、ブレードタイプのパターヘッド２００は、ソール２４と、このソール２４の反対側に位置した上面（図示せず）と、を備えることができる。さらに、クラブヘッド２００のソールは、プレートまたはカバー３４を備えることができる。プレートまたはカバー３４は、エレメント１８上のコード化された暗号１２を見ることができるよう、ウィンドウまたは開口２０を有している。カバーまたはプレート３４をクラブヘッドに対して着脱可能に固定し得るよう、固定部材６６が使用されている。デコーダ３６は、上記実施形態の場合と同様に、カバー３４の表面上に形成することができる。
【００３４】
図７に示すように、ブレードタイプのパター２００は、さらに、凹所２２と、開口３２と、凹所２２の床面４２内に形成された固定孔５２と、コード化されたエレメント１８と、を備えることができる。エレメント１８は、開口３２内へと挿入することができる。ブレードタイプのパターヘッド２００は、少なくとも１つの凹所２２を備えることができる。凹所２２は、クラブヘッド２００のトウ領域２８からヒール領域３０までにわたって延在することができる。凹所２２内には、２つの開口３２を形成することができる。一方の開口３２は、クラブヘッド２００のトウ領域２８に形成することができ、他方の開口３２は、クラブヘッド２００のヒール領域３０に形成することができる。また、１つの開口３２だけを形成する実施形態を想定することもできる。
【００３５】
ブレードタイプのクラブヘッド２００においては、各エレメント１８の質量は、およそ１グラムからおよそ５０グラムまでにわたって変更することができる。互いに異なる質量を有した複数のエレメント１８から、一組をなす複数のエレメントが構成されることが、好ましい。例えば、一組をなす複数のエレメント１８は、５グラムと１０グラムと１５グラムとという重量を有した少なくとも３つのエレメントを備えることができる。当業者であれば、一組をなす複数のエレメント１８が、任意の数のエレメントを備え得ること、および、一組の中の２つあるいはそれ以上のエレメント１８を、互いに同じ質量を有したものとし得ることは、理解されるであろう。使用時には、選択されたエレメント１８を、所定の開口３２の中へと挿入することができる。これにより、所望の最終的な重量と質量分布とを有したクラブヘッドを提供することができる。適切な開口３２内へのエレメント１８の挿入後には、カバー３４を使用して、所定位置にエレメント１８を固定することができる。これと同時に、エレメント１８上の暗号１２を観測するための少なくとも１つのウィンドウまたは開口２０を提供することができる。少なくとも１つの開口３２を空虚なままとし得るようにして、クラブヘッド内にエレメント１８を配置し得ることは、理解されるであろう。
【００３６】
マレットタイプのパターヘッドの場合と同様に、エレメント１８上のコード化された暗号１２は、５グラムという質量を有したエレメントに関しては赤色とすることができ、１０グラムという質量を有したエレメントに関しては白色とすることができ、１５グラムという質量を有したエレメントに関しては青色とすることができる。エレメント１８をクラブヘッド内に配置した後には、クラブヘッドの重量および質量分布を、質量と色との関係を特定したデコーダ３６を参照することによって、容易に決定することができる。参照を容易なものとし得るよう、デコーダ３６は、ウィンドウ２０のごく近傍に配置することができる。
【００３７】
暗号１２と暗号解読手段（すなわち、デコーダ１４）とを、様々なクラブヘッドに関する質量特性という観点から説明したけれども、これらを、例えばライ角度やロフト角度や位置合わせ標示や他のものといったようなクラブに関する種々の特性変更を表示するものとして適用し得ることは、理解されるであろう。
【００３８】
上述したように、ゴルフクラブヘッドを構成するためのツールキットを、提供することができる。ツールキットは、コード化された情報を有した複数のエレメント１８と、エレメント１８をゴルフクラブヘッド１０内へと組み込むためのツール９２と、を備えることができる。本発明の一実施形態においては、カバー１０２とベース１０４とを有したハウジング９８を、エレメント１８およびツール９２を格納し得るものとして、準備することができる。図８に示すように、ハウジング９８は、複数のエレメント１８を受領するための少なくとも１つの鉛直方向スロット１１６と、ツール９２を受領するための中央孔１１４と、を備えることができる。複数のエレメント１８は、鉛直方向スロット１１６内へとスライド的に係合させることによって、ハウジング内に保持することができる。図９に示すように、保護カバー１０２は、ハウジング９８の少なくとも一部を包囲することができ、ベース１０４上へと嵌合させることができる。
【００３９】
ゴルフクラブヘッドに関する上記のいくつかの実施形態は、例示のためのものに過ぎない。したがって、本発明の範囲は、与えられた例示によってではなく、特許請求の範囲および均等物によって、規定されるべきである。
【図面の簡単な説明】
【００４０】
【図１】本発明の好ましい実施形態によるクラブヘッドを示す平面図である。
【図２】図１のクラブヘッドを示す底面図である。
【図３】図２のクラブヘッドの一部を拡大して詳細に示す図である。
【図４】図２のクラブヘッドを、底面側から見た分解斜視図である。
【図５】本発明の代替可能な実施形態によるブレードタイプのクラブヘッドを示す底面図である。
【図６】図５のクラブヘッドの一部を拡大して詳細に示す図である。
【図７】図５のクラブヘッドを、底面側から見た分解斜視図である。
【図８】カバーを取り外した状態で、エレメントおよびツールハウジングを示す斜視図である。
【図９】カバーを装着した状態で、エレメントおよびツールハウジングを示す斜視図である。
【符号の説明】
【００４１】
１０  ゴルフクラブヘッド
１２  コード化された情報、暗号
１４  デコーダ
１６  ボディ
１８  エレメント
２０  開口、ウィンドウ
２２  凹所
２４  ソール
２６  上面
２８  トウ領域
３０  ヒール領域
３２  開口
３４  カバー
３６  デコーダ
４６  打撃面
９２  ツール
９８  ハウジング
２００  ブレードタイプのパターヘッド（ゴルフクラブヘッド）
２０２  ボディ
【図１】
0005324044.tif 000002
【図２】
0005324044.tif 000003
【図３】
0005324044.tif 000004
【図４】
0005324044.tif 000005
【図５】
0005324044.tif 000006
【図６】
0005324044.tif 000007
【図７】
0005324044.tif 000008
【図８】
0005324044.tif 000009
【図９】
0005324044.tif 000010